(57)【要約】【課題】      玉網の枠部が支持部で十分に支持できず、枠部にガタが生じることである。【解決手段】  玉網１は、網部２と、この網部２の開口側を開いた状態で支持する枠部３と、この枠部３の両端部を支持し柄４に取り付ける支持部５を有している。支持部５は、その下側に枠部３の付き合わせ部Ａを差し込む係合溝８を有し、この係合溝８に内部には、開口から横溝部８ａ、屈曲部８ｂ、縦溝部８ｃに沿って延びる突状部Ｔが形成され、枠部３が係合溝８内に係合した状態で係合溝８を覆うように蓋体７が螺合で取り付けられる。【選択図】        図６
2010148361.tif 000002
【特許請求の範囲】
【請求項１】
枠部の端部を支持部の係合溝に係合して支持し、前記支持部に前記係合溝を覆う蓋体を取り付けると共に、前記係合溝は枠部の差し込み方向に沿って延びる突状部を有していることを特徴とする玉網。
【請求項２】
係合溝と該係合溝に係合した枠部は共に屈曲部を有し、前記枠部の前記屈曲部は前記係合溝の屈曲部より曲率が大きく形成されていることを特徴とする請求項１に記載の玉網。
【請求項３】
蓋体は、係合溝に係合した枠部を係合溝の内部方向に押圧した状態で螺子で取り付けられていることを特徴とする請求項１または２に記載の玉網。
【発明の詳細な説明】
【技術分野】
【０００１】
本発明は、枠部の端部を支持部の係合溝に係合して支持した玉網に関する。
【背景技術】
【０００２】
従来から安全に魚を釣り上げるために玉網を用いて手元まで引き寄せた魚を掬って捕獲している。
釣り人はそれぞれの釣り方や釣り場に合わせて玉網を選択して使用している。
【０００３】
これらの玉網の多くは、網部を支持した枠部を柄の先端に設けた支持体で支持して形成されている。
網部は痛みやすく交換することがあるため、枠部が柄の支持部に対し着脱できるようになっているものもある。
【０００４】
特許文献１には、網部を取り付けた枠部を柄の先端に設けたＴ字状の支持部で支持した玉網が記載されている。
枠部を支持したＴ字状の支持部は上下一対の取り付け具からなり、それぞれの取り付け具は屈曲状の溝を有し上下一対の取り付け具を合わせると嵌合孔が形成され、枠部をこの嵌合孔の中に収納し一対の取り付け具を螺子止めして保持するようになっている。
しかし、このような玉網は、枠部の端部のみを支持するため取り付け長さが短く、枠部のガタやぐらつきがないように支持することは難しかった。
【特許文献１】実開平６−５２４４３
【発明の開示】
【発明が解決しようとする課題】
【０００５】
解決しようとする課題は、玉網の枠部が支持部で十分に支持できず、枠部にガタが生じることである。
【０００６】
本発明の目的は前記欠点に鑑み、玉網の枠部が支持部で確実に保持されてガタを防止した玉網を提供することである。
【課題を解決するための手段】
【０００７】
上記課題を解決するために、
請求項１に係わる本発明は、枠部の端部を支持部の係合溝に係合して支持し、前記支持部に前記係合溝を覆う蓋体を取り付けると共に、前記係合溝は枠部の差し込み方向に沿って延びる突状部を有していることを要旨とするものである。
請求項２に係わる本発明は、係合溝と該係合溝に係合した枠部は共に屈曲部を有し、前記枠部の前記屈曲部は前記係合溝の屈曲部より曲率が大きく形成されていることを要旨とするものである。
請求項３に係わる本発明は、蓋体は、係合溝に係合した枠部を係合溝の内部方向に押圧した状態で螺子で取り付けられていることを要旨とするものである。
【発明の効果】
【０００８】
本発明によると、玉網の枠部を支持部で支持したときのがたつきをことを防止できる。
【発明を実施するための最良の形態】
【０００９】
以下、本発明の実施形態を図面に基づき説明すると、図１から図７は本発明の実施例で、図１は玉網の全体図、図２は支持部の側面図、図３は支持部の底面図、図４は支持部の水平方向の断面図、図５は蓋体を外した支持部の平面図、図６は支持部の側面方向の断面図、図７は支持部の一部拡大断面図である。
【００１０】
本願の玉網１は、図１のように、網部２と、この網部２の開口側を開いた状態で支持する枠部３と、この枠部３の両端部を支持し柄４に取り付ける支持部５を有している。
【００１１】
網部２は、ナイロン等の合成樹脂繊維を編み込んで形成され上方側に開口を有し、この開口部を枠部３の下側に沿って形成した取り付け溝３ｅ内に差し込まれ、その中に配された線材２ａに係止されて取り付け溝３ｅに抜け止め止着されている。
【００１２】
枠部３は、ステンレスやチタン等の金属で形成され、下側に沿って取り付け溝３ｅが形成された棒材を屈曲させて円形に成型されている。
ステンレスやチタン等の金属で形成され、の円形に形成された向かい合わせ状の両端部は、それぞれ柄４の方向に屈曲部３ｂにて屈曲され一対の係止片３ｃ、３ｃが並列されて柄４に向かって突出している。
【００１３】
枠部３に取り付けた網部２は、枠部３の両端部の付き合わせ部Ａにて屈曲部３ｂに形成した取り付け溝３ｅに通じる切り欠き３ｄから引き出されて線材２ａと共に連接され、枠部３の両端部の付き合わせ部Ａは、支持部５にて保持されている。
【００１４】
支持部５は、図３から図７のように、枠部３と同様にステンレスやチタン合金等の金属で形成され、枠部３を受ける支持体６と蓋体７を有し、支持部５の全体は横軸部５ａと縦軸部５ｂを有するＴ字状に形成されている。
支持部５の支持体６は、その下側に枠部３の付き合わせ部Ａを差し込む係合溝８を有し、この係合溝８は、横軸部５ａの両端部に開口し、横軸部５ａに沿って延びる横溝部８ａを有し、屈曲部８ｂにて柄４の方向に屈曲し、柄４に向かって延びる縦溝部８ｃが形成されている。
【００１５】
この係合溝８に内部には、開口から横溝部８ａ、屈曲部８ｂ、縦溝部８ｃに沿って延びる突状部Ｔが形成され、突状部Ｔは、係合溝８の横溝部８ａ、屈曲部８ｂ、縦溝部８ｃに沿ってそれぞれ横向突部８ｄ、屈曲突部８ｅ、縦向突部８ｆが形成されている。
突状部Ｔは、係合溝８に沿って土手状に連なって形成され、係合溝８の底部には複数の突状部Ｔが並設されている。
【００１６】
突状部Ｔは、支持部５の支持体６に一体に形成され、０．１ｍｍから３．０ｍｍの高さで形成され、先端側になるにつれて先細り状になっている。
突状部Ｔの屈曲突部８ｅは係合溝８の屈曲部８ｂと曲率が異なっており、突状部Ｔの屈曲突部８ｅは係合溝８の屈曲部８ｂよりも大きな曲率で形成されている。
【００１７】
支持部５の支持体６の係合溝８に差し込まれた枠部３の付き合わせ部Ａは、その両端部が係合溝８の開口から横溝部８ａ、屈曲部８ｂ、縦溝部８ｃに沿って、それぞれ枠部３の枠端部３ａ、屈曲部３ｂ、係止片３ｃが係合している。
【００１８】
枠部３の枠端部３ａは係合溝８の横溝部８ａと略同じ幅に形成され、屈曲部３ｂは、係合溝８の屈曲部８ｂより大きな曲率で屈曲して屈曲部３ｂの内側は、係合溝８の屈曲部８ｂとの間に間隙が形成され、また、係合溝８の縦溝部８ｃ内において、枠部３の一対の係止片３ｃ、３ｃが並列して係合し、それぞれ両側で縦溝部８ｃ内の側壁に当接しているため、枠部３が係合溝８に沿って動くことが防止される。
【００１９】
枠部３の付き合わせ部Ａが係合溝８内に係合した状態で支持部５の支持体６に係合溝８を覆うように蓋体７が螺子Ｂを蓋体７の孔７ａから螺子Ｂを差し込んで支持体６の孔６ｄに螺合することで着脱可能に取り付けられる。
蓋体７は係合溝８との対向面側は平面状に形成され、上記螺合による取付によって係合溝８内に係合した枠部３の付き合わせ部Ａに当接し、枠部３の付き合わせ部Ａを係合溝８内に押圧するため、さらに枠部３のガタが防止される。
なお、支持体６から蓋体７を取り外せば枠部３が取り外し可能で、網部２の交換ができる。
【００２０】
係合溝８に係合した枠部３の付き合わせ部Ａは、係合溝８内の突状部Ｔに当接して支持され、係合溝８内における枠部３の移動を規制する。
係合溝８内における枠部３は、蓋体７の押圧によって突状部Ｔが潰れて凹凸を形成するため、これによって係合溝８内における枠部３の移動がより効率よく規制され、玉網１の使用中の枠部３のガタが防止される。
なお、枠部３と支持部５が共に金属で形成されているため互いに摩耗に強く部材間の隙間の発生が防止されガタが効率よく防止される。
【００２１】
支持部５の支持体６に係合溝８を覆うように蓋体７が取り付けられた時に、蓋体７の枠部３側と支持体６の先端の前壁６ａの間に間隙が形成され、この間隙から外側に網部２が引き出されて垂下している。
【００２２】
支持部５は支持体６に設けた突部５ｃが柄４の先端の凹部４ａに嵌合して取り付けられ、両者を貫通する螺子孔Ｎに柄４の側面から係止部材Ｋを螺合してガタが出ないように取り付けられる。
【００２３】
玉網１が使用されるときは、柄４を握持して魚に枠部３側を差し出して魚を掬ったり、引き抜きによって空中をとばして運ばれてきた魚を受け止めるが、支持部５に対する枠部３の保持が強固になされているため支持部５に対する枠部３の回り等の不具合が防止され、また、枠部３のガタが防止されているため使用中の不快感が少ない。
【００２４】
玉網１の枠部３は掬った魚の重量を支え、網部２の水切りに際して振り回されることがあるが長期に亘る使用に対しても耐久性が向上する。
【産業上の利用可能性】
【００２５】
本発明は、釣りに使用する玉網全般に利用できる。
【図面の簡単な説明】
【００２６】
【図１】図１は、玉網の全体図である。
【図２】図２は、玉網の支持部の側面図である。
【図３】図３は、玉網の支持部の底面図である。
【図４】図４は、玉網の支持部の水平方向の断面図である。
【図５】図５は、玉網の蓋体を外した支持部の平面図である。
【図６】図６は、玉網の支持部の側面方向の断面図である。
【図７】図７は、玉網の支持部の一部拡大断面図である。
【符号の説明】
【００２７】
１    玉網
２    網部
３    枠部
４    柄
５    支持部
６    支持体
７    蓋部
８    係合溝
Ｔ    突状部
【図１】
2010148361.tif 000003
【図２】
2010148361.tif 000004
【図３】
2010148361.tif 000005
【図４】
2010148361.tif 000006
【図５】
2010148361.tif 000007
【図６】
2010148361.tif 000008
【図７】
2010148361.tif 000009